(57)【特許請求の範囲】
【請求項１】
液体を散布するヘッド部と、このヘッド部と分離可能なグリップ部とを備えたシャワーヘッドにおいて、
前記グリップ部は、前記液体に溶解させる薬剤を収容したカートリッジを着脱可能に内蔵するカートリッジ収容部を備えており、
前記カートリッジ収容部は、収容されるカートリッジとの間で連通経路を区画する形状をしており、
前記ヘッド部には、
前記連通経路に連通する供給路と、前記カートリッジ内の薬剤を溶解させた溶液を流入させる溶液流入経路とが形成され、
前記溶液流入経路を、前記供給路から遮断させて前記液体を散布する第１状態と、前記供給路と密封状態で連通させて前記液体を前記溶液に混合しながら散布する第２状態とを切り替える切替手段を設け、
前記溶液流入経路は、前記グリップ部に対して所定角度で形成されており、
前記切替手段は、
軸方向の移動によって、前記溶液流入経路を前記供給路と、遮断又は連通させるシャフトからなる切替移動体と、
前記切替移動体に一体化した操作部と
を備えていることを特徴とするシャワーヘッド。
【請求項２】
前記ヘッド部には、前記溶液流入経路を、前記供給路から遮断させた第１状態と、前記供給路と連通させた第２状態とをそれぞれ保持させるための位置止め部材が設けられていることを特徴とする請求項１に記載のシャワーヘッド。
【請求項３】
液体を散布するヘッド部と、このヘッド部に着脱可能なグリップ部とを備え、前記グリップ部は、前記液体に溶解させる薬剤を収容したカートリッジを着脱可能に内蔵し、収容されるカートリッジとの間で連通経路を区画する形状のカートリッジ収容部を備えており、前記ヘッド部には、前記連通経路に連通する供給路と、前記カートリッジ内の薬剤を溶解させた溶液を流入させる溶液流入経路とが形成され、シャフトからなる切替移動体の軸方向の移動によって、前記溶液流入経路を、前記供給路から遮断させて前記液体を散布する第１状態と、前記供給路と密封状態で連通させて前記液体を前記溶液に混合しながら散布する第２状態とを切り替える切替手段を設けたシャワーヘッドに内蔵可能なカートリッジであって、
前記液体に溶解する薬剤を収容するとともに、
前記薬剤に供給する液体を取り込む取込流路と、前記薬剤が溶解した溶液を流入させるシャワーヘッドの溶液流入経路に連通する溶液流出流路とを備え、
前記取込流路は、前記カートリッジが前記カートリッジ収容部に配置された場合に、前記連通経路から薬剤に液体が流入するように形成されており、
前記溶液流出流路は、前記溶液流入経路に連通可能となる位置に形成されていることを特徴とするカートリッジ。
【請求項４】
前記取込流路には、逆止弁が設けられており、
前記逆止弁は、前記溶液流出流路が前記ヘッド部の供給路と連通していない場合には、前記薬剤に液体が流入せず、前記溶液流出流路が前記ヘッド部の供給路と連通している場合には、前記薬剤に液体が流入することを特徴とする請求項３に記載のカートリッジ。
【請求項５】
前記ヘッド部に挿入可能な出口部材を備え、
前記出口部材を保護するために、該出口部材に内嵌される挿入支持部を備えた蓋部材が着脱可能に取り付けられており、
前記蓋部材が取り外された状態で前記カートリッジ収容部に配置された場合に、前記出口部材は前記溶液流出流路として機能することを特徴とする請求項３又は４に記載のカートリッジ。
【請求項６】
前記カートリッジには、薬剤として保湿剤が収容されていることを特徴とする請求項３〜５のいずれか１項に記載のカートリッジ。
【発明の詳細な説明】
【技術分野】
【０００１】
本発明は、液体を散布するシャワーヘッド及びこれに内蔵可能なカートリッジに関する。
【背景技術】
【０００２】
美容や健康のために、残留塩素を除去した水を浴びることがある。例えば、残留塩素を除去するシャワーヘッドも検討されている（例えば、特許文献１参照。）。この文献に記載のシャワーヘッドにおいては、着脱可能な浄水カートリッジを内蔵している。この浄水カートリッジは、中心に配置されたパイプによって構成され原水のみが通過する第１流路と、ケース体とパイプとの間に浄化用薬剤が充填された浄化処理部からなる第２流路とを備えている。シャワーヘッドは、原水と浄水とが選択的に導入されており、摘み部の操作に応じて、原水と浄水との切り替えを行なう。
【先行技術文献】
【特許文献】
【０００３】
【特許文献１】特開平１１−３３３３２８号公報（第１頁、図２〜図５、図１０）
【発明の概要】
【発明が解決しようとする課題】
【０００４】
しかしながら、この文献に記載のシャワーヘッドは、カートリッジにおいて、原水のみが通過する第１流路が設けられている。このため、薬剤を収容するスペースを大きく取ることができない。そこで、薬剤を収容するスペースのみをカートリッジに設けることが考えられる。この場合には、既にシャワーヘッド１０に設けられている流路や切替機構を利用して、原水のみに切り替えた際に、薬剤が溶解した溶液が漏れ出さないようにシールすることが難しい。
【０００５】
この発明は、このような従来の技術に存在する課題に着目してなされたものであり、その目的は、カートリッジにおいて薬剤の収容スペースを大きくするとともに、シャワーヘッドに設けられている流路や切替機構を利用しても、薬剤の溶液を漏れ難くするためのシャワーヘッド及びこれに内蔵されるカートリッジを提供することにある。
【課題を解決するための手段】
【０００６】
上記の目的を達成するために、この発明は、液体を散布するヘッド部と、このヘッド部と分離可能なグリップ部とを備えたシャワーヘッドにおいて、前記グリップ部は、前記液体に溶解させる薬剤を収容したカートリッジを着脱可能に内蔵するカートリッジ収容部を備えており、前記カートリッジ収容部は、収容されるカートリッジとの間で連通経路を区画する形状をしており、前記ヘッド部には、前記連通経路に連通する供給路と、前記カートリッジ内の薬剤を溶解させた溶液を流入させる溶液流入経路とが形成され、前記溶液流入経路を、前記供給路から遮断させて前記液体を散布する第１状態と、前記供給路と密封状態で連通させて前記液体を前記溶液に混合しながら散布する第２状態とを切り替える切替手段を設け、前記溶液流入経路は、前記グリップ部に対して所定角度で形成されており、前記切替手段は、軸方向の移動によって、前記溶液流入経路を前記供給路と、遮断又は連通させるシャフトからなる切替移動体と、前記切替移動体に一体化した操作部とを備えていることを特徴とする。
【０００７】
これにより、カートリッジに収容された薬剤を溶解した溶液を散布しない場合には、液体は、カートリッジとの間で区画された連通経路を通過するので、液体を散布させるために用いる流路をカートリッジ内部に形成する必要がない。従って、カートリッジ内部に収容するためのスペースを多く確保できる。また、カートリッジを内蔵するとともに、カートリッジからの溶液が流れる溶液流出経路と、ヘッド部の供給路との遮断又は連通を切り替える切替手段をヘッド部に設けているので、このヘッド部の切替手段を利用しながら、ユーザの用途に応じて液体の散布と溶液の散布との切り替えを漏れ難い状態で行なうことができる。
【０００８】
加えて、簡単な構成で、カートリッジの薬剤が溶解した溶液を散布する場合と、液体だけを散布する場合とを、容易に切り替えることができる。
【０００９】
前記の構成において、前記ヘッド部には、前記溶液流入経路を、前記供給路から遮断させた第１状態と、前記供給路と連通させた第２状態とをそれぞれ保持させるための位置止め部材が設けられていることを特徴とする。これにより、第１状態と第２状態をより確実に保持することができる。
【００１０】
上記の目的を達成するために、この発明は、液体を散布するヘッド部と、このヘッド部に着脱可能なグリップ部とを備え、前記グリップ部は、前記液体に溶解させる薬剤を収容したカートリッジを着脱可能に内蔵し、収容されるカートリッジとの間で連通経路を区画する形状のカートリッジ収容部を備えており、前記ヘッド部には、前記連通経路に連通する供給路と、前記カートリッジ内の薬剤を溶解させた溶液を流入させる溶液流入経路とが形成され、シャフトからなる切替移動体の軸方向の移動によって、前記溶液流入経路を、前記供給路から遮断させて前記液体を散布する第１状態と、前記供給路と密封状態で連通させて前記液体を前記溶液に混合しながら散布する第２状態とを切り替える切替手段を設けたシャワーヘッドに内蔵可能なカートリッジであって、前記液体に溶解する薬剤を収容しているとともに、前記薬剤に供給する液体を取り込む取込流路と、前記薬剤が溶解した溶液を流入させるシャワーヘッドの溶液流入経路に連通する溶液流出流路とを備え、前記取込流路は、前記カートリッジが前記カートリッジ収容部に配置された場合に、前記連通経路から薬剤に液体が流入するように形成されており、前記溶液流出流路は、前記溶液流入経路に連通可能となる位置に形成されていることを特徴とする。これにより、液体を散布させるために用いる流路をカートリッジ内部に形成しなくても、カートリッジに収容された薬剤を溶解した溶液の散布と液体のみの散布とを、切り替えて行なう場合のカートリッジとして用いることができる。
【００１１】
前記の構成において、前記取込流路には、逆止弁が設けられており、前記逆止弁は、前記溶液流出流路が前記ヘッド部の供給路と連通していない場合には、前記薬剤に液体が流入せず、前記溶液流出流路が前記ヘッド部の供給路と連通している場合には、前記薬剤に液体が流入することを特徴とする。これにより、薬剤が溶解した溶液を散布する場合にのみ、薬剤に液体が供給されるので、薬剤が逆流して供給路に混入することを回避することができる。
【００１２】
前記の構成において、前記ヘッド部に挿入可能な出口部材を備え、前記出口部材を保護するために、該出口部材に内嵌される挿入支持部を備えた蓋部材が着脱可能に取り付けられており、前記蓋部材が取り外された状態で前記カートリッジ収容部に配置された場合に、前記出口部材は前記溶液流出流路として機能することを特徴とする。これにより、蓋部材の挿入支持部によって、出口部材の内孔が変形することを回避することができるので、出口部材と、これを収容するヘッド部との間に隙間が生じ難く、薬剤が溶解した溶液を漏洩し難くすることができる。
【００１３】
前記の構成において、前記カートリッジには、薬剤として保湿剤が収容されていることを特徴とする。これにより、シャワーヘッドから保湿剤を散布することができる。
【発明の効果】
【００１４】
本発明によれば、カートリッジにおいて薬剤の収容スペースを大きくするとともに、シャワーヘッドに設けられている流路や切替機構を利用しても、薬剤の溶液を漏れ難くするためのシャワーヘッド及びこれに内蔵されるカートリッジを提供することができる。
【図面の簡単な説明】
【００１５】
【図１】一実施形態のシャワーヘッドの外観図であって、（ａ）は正面図、（ｂ）は右側面図。
【図２】シャワーヘッドの要部断面図であって、（ａ）は図１（ｂ）の２ａ−２ａ線におけるグリップ部の断面図、（ｂ）は図１（ａ）の２ｂ−２ｂ線におけるグリップ部の断面図。
【図３】シャワーヘッドのグリップ部の内部構造を説明する図であり、（ａ）は平面図、（ｂ）は斜視図。
【図４】図２（ａ）における４−４線における断面図。
【図５】シャワーヘッドに内蔵されるカートリッジを説明する図であって、（ａ）は蓋付きカートリッジの外観斜視図、（ｂ）は蓋付きカートリッジの正面断面図。
【図６】シャワーヘッドの要部の断面図であり、（ａ）は図２（ａ）における切替機構の拡大断面図、（ｂ）は図２（ａ）の６ｂ−６ｂ線における断面図。
【図７】シャワーヘッドの流路形成部材及び位置止め部材の構成を説明する斜視図であって、（ａ）は位置止め部材側から見た状態、（ｂ）は（ａ）の反対側から見た状態を示す。
【図８】カートリッジに液体を流入させる場合の切替部の拡大断面図。
【発明を実施するための形態】
【００１６】
以下、この発明を具体化した実施形態を、図１〜図８に基づいて説明する。
図１（ａ）は、本実施形態のシャワーヘッド１０の正面図であり、図１（ｂ）は同シャワーヘッド１０の右側面図である。図２は、シャワーヘッド１０において、カートリッジ５０が装填された説明図であり、図２（ａ）は、図１（ｂ）の２ａ−２ａ線における断面図、図２（ｂ）は図１（ａ）の２ｂ−２ｂ線における断面図である。
【００１７】
図１に示すように、本実施形態のシャワーヘッド１０は、ヘッド部１１とグリップ部１２とから構成されている。ヘッド部１１は、図１（ｂ）に示すように、椀形状の椀状側部１５ａと円筒部１５ｂとを一体化させたヘッド本体１５を有している。椀状側部１５ａは、正面の拡径側が開口しており、この椀状側部の内部空間には、円筒部１５ｂに形成された後述する内孔が連通している。
【００１８】
更に、ヘッド本体１５の円筒部１５ｂには、この円筒部１５ｂの中心軸に対して所定角度を成す方向（本実施形態では直交する方向）に延びる貫通孔が形成されている。この貫通孔には、切替手段としての切替部２０が設けられている。この切替部２０は、操作部を構成する第１操作部材４５及び第２操作部材４８を備えている。切替部２０の詳細については、後述する。
【００１９】
図１（ａ）に示すように、ヘッド本体１５には、開口を覆うように散水部材１６が設けられている。散水部材１６には、多数の散水孔１６ａが形成されている。散水孔１６ａは、散水部材１６の中心から放射線状に配置されている。この散水孔１６ａを介して、ヘッド部１１から液体（例えば、水）を散布する。更に、ヘッド本体１５には、散水部材１６の外周にカバー部材１７が嵌合されている。
【００２０】
また、ヘッド本体１５の図１（ｂ）に示した椀状側部１５ａの内部空間には、マイクロバブルを発生させるためのマイクロバブル発生部材（図示せず）が収容されている。このマイクロバブル発生部材には、複数の微細な貫通孔（図示せず）が形成されている。この貫通孔は、開口側に向かって拡径されている。この貫通孔を水が通過すると、圧力変化によって、この水に溶解している気体がマイクロバブルとなって出現し、水に混在した状態になる。そして、このマイクロバブルが混在した水が散水部材１６から散布される。
【００２１】
図２に示すように、ヘッド部１１のヘッド本体１５とグリップ部１２とは、螺合されて一体固定されている。これらヘッド本体１５とグリップ部１２との間には、シールリング１３が配設されている。更に、シャワーヘッド１０には、交換可能なカートリッジ５０が内蔵されている。ヘッド本体１５とグリップ部１２との螺合を解除することにより、カートリッジ５０をシャワーヘッド１０から取り外すことができる。このカートリッジ５０の構成の詳細については後述する。また、ヘッド本体１５の円筒部１５ｂに形成された内孔１５ｃは、供給路として機能する。
【００２２】
一方、ヘッド部１１とシャワーヘッド１０を構成するグリップ部１２は、円筒形状をしている。グリップ部１２の下部の外周には、シャワーホースに螺合するためのネジ部が形成されている。グリップ部１２の底部には、中央に供給孔１２ｂが形成されている。この供給孔１２ｂは、グリップ部１２の中空部１２ｃに連通するように形成されている。このグリップ部１２の中空部１２ｃが、カートリッジ収容部として機能する。更に、このグリップ部１２の中空部１２ｃの上端部には、ネジ溝１２ｄが形成されている。なお、以下の流れの説明においては、シャワーホース側を上流側、散水部材１６側を下流側とする。
【００２３】
図３（ａ）は、このグリップ部１２をヘッド本体１５側から見た上面図であり、図３（ｂ）は、グリップ部１２の斜視図であり、図４は、図２（ａ）における４−４線における断面図である。
【００２４】
図３に示すように、グリップ部１２の中空部１２ｃの底部には、板状片の嵩上げ部１２ｅが、離散して複数、形成されている。この嵩上げ部１２ｅ上にカートリッジ５０を載置することによって、供給孔１２ｂから供給された液体が、中空部１２ｃとカートリッジ５０との間に拡散される。
【００２５】
更に、中空部１２ｃの側壁部には、複数の位置決めリブ部１２ｆが形成されている。更に、位置決めリブ部１２ｆの上方には、回り止めリブ部１２ｇが形成されている。図２に示すように、位置決めリブ部１２ｆは、収容するカートリッジ５０の位置決めを行なうとともに、このカートリッジ５０の周囲に液体が流通する流路７０を区画する。なお、グリップ部１２の中空部１２ｃにおいて、カートリッジ５０と、嵩上げ部１２ｅ及び複数の位置決めリブ部１２ｆとによって区画された流路７０が、連通経路を構成する。
【００２６】
また、図４に示すように、回り止めリブ部１２ｇは、ヘッド本体１５の回り止め突部１５ｆに掛合することにより、グリップ部１２とヘッド部１１とを一体化するときの相対位置を一定にする。
【００２７】
次に、シャワーヘッド１０に内蔵されるカートリッジ５０の構成を、図５を用いて説明する。図５（ａ）は、蓋付きカートリッジ６０の外観斜視図であり、図５（ｂ）は、蓋付きカートリッジ６０の正面断面図である。
【００２８】
図５（ａ）に示すように、蓋付きカートリッジ６０は、蓋部材６１及びカートリッジ５０から構成されている。カートリッジ５０は、交換部品として、この蓋付きカートリッジ６０の状態で提供される。
【００２９】
カートリッジ５０は、有底筒体形状のケース本体５１を備える。このケース本体５１は、底面側に向かってやや縮径する形状をしている。ケース本体５１の底面部には、複数のスリット部５１ａが形成されている。このスリット部５１ａは、平面形状が扇形状をしている。
【００３０】
図５（ｂ）に示すように、ケース本体５１の底面部の中心には、円柱形状の凹部５１ｂが形成されている。この凹部５１ｂは、このスリット部５１ａとケース本体５１の内部（後述するカートリッジ内管５３）とを連通する。これらスリット部５１ａ及び凹部５１ｂが、取込流路として機能する。
【００３１】
ケース本体５１の内側の底面中央部には、逆止弁としてのダックビル弁５２が配置されている。このダックビル弁５２は、円筒形状の内部がケース本体５１の凹部５１ｂに整合するように配置されている。ダックビル弁５２は、フランジ部５２ａを有した円筒形状部材であって、その先端部５２ｂは２つに割れて、互いにその先端縁にて接触するように傾斜した平板形状になっている。これら先端部５２ｂは、後述する切替部２０が第２状態になって、ダックビル弁５２の円筒形状の内部側（内側）が、ヘッド本体１５の内孔１５ｃと連通した場合には、互いに離れて、ダックビル弁５２の内側と外側を連通する。それ以外においては、これら先端部５２ｂは、接触しており、ダックビル弁５２の内側と外側とを遮断している。
【００３２】
ケース本体５１には、上述したダックビル弁５２を内蔵するように、円筒形状のカートリッジ内管５３が配置されている。このカートリッジ内管５３には、両端部にフランジ部５３ａ，５３ｂが設けられている。カートリッジ内管５３のフランジ部５３ａは、ケース本体５１の内部に嵌合されている。
【００３３】
カートリッジ内管５３には、多数の連通孔５３ｃが形成されている。更に、カートリッジ内管５３とケース本体５１との間には、薬剤収容部５４となるリング状の空間が区画されている。この薬剤収容部５４には、固形の薬剤（図示せず）が積層して収容されている。本実施形態では、薬剤として、保湿成分を含む保湿剤を用いる。この薬剤は、カートリッジ内管５３の連通孔５３ｃを介して導入された液体（水）によって溶解されて、保湿液を生成する。そして、カートリッジ内管５３において生成された保湿液は、出口部材５５を介してカートリッジ５０の外に流出する。
【００３４】
ケース本体５１の開口部には、出口部材５５が内嵌されている。この出口部材５５は、段付きの円筒形状をしており、内部には段付き孔が形成されている。この出口部材５５の段付き孔が、溶液流出流路として機能する。出口部材５５の大径円筒部５５ａの外周とケース本体５１との間には、シールリング５６が設けられている。この大径円筒部５５ａの大径中空部には、カートリッジ内管５３のフランジ部５３ｂが収容されている。カートリッジ内管５３と出口部材５５との間には、網状のフィルタ部材５７が配置されている。このフィルタ部材５７は、図４に示すように、格子状に微細な孔が多数形成されている。このフィルタ部材５７は、連通孔５３ｃから流出した薬剤を、ヘッド部１１に流出しないように留める。更に、出口部材５５の小径円筒部５５ｂには、シールリング５８が外嵌されている。
【００３５】
次に、カートリッジ５０の蓋部材６１を説明する。
図５（ｂ）に示すように、蓋部材６１には、円筒形状の挿入支持部６１ａが中央に形成されている。この挿入支持部６１ａには、出口部材５５の段付き孔の先端が外嵌されている。これにより、蓋部材６１の使用時に、出口部材５５の小径円筒部５５ｂの内径の大きさを、一定に保持することができる。
【００３６】
次に、ヘッド部１１に設けられた切替部２０の構成を、図６、図７を用いて説明する。図６（ａ）は、図２（ａ）における要部の拡大断面図であり、図６（ｂ）は、図２（ａ）の６ｂ−６ｂ線における断面図である。また、図７は、切替部２０を構成する流路形成部材３０の斜視図である。
【００３７】
まず、図６（ａ）に示している流路形成部材３０及びこれに掛合する位置止め部材３５の構成について説明する。
図７に示すように、この流路形成部材３０は、溶液流入部３１、混合流路形成部３２、保持部材係合突部３３及び流路嵌合部３４から構成されている。溶液流入部３１は、円筒形状をしており、半円柱形状の混合流路形成部３２と一体化している。更に、溶液流入部３１には、保持部材係合突部３３が形成されている。また、混合流路形成部３２の上端部には、リング状の流路嵌合部３４が形成されている。
【００３８】
溶液流入部３１は、円筒空間を有する収容部３１ａが形成されている。この収容部３１ａが、溶液流入経路として機能する。
混合流路形成部３２には、貫通孔３２ａと連通孔３２ｂとが形成されている。貫通孔３２ａは、流路形成部材３０の中心軸に対して所定角度を成す方向（本実施形態では直交する方向）に延在して形成されている。連通孔３２ｂは、溶液流入部３１の収容部３１ａに連通する。更に、図７（ｂ）に示すように、混合流路形成部３２には、貫通孔３２ａを囲むようにリング溝３２ｃが形成されている。
【００３９】
また、図７（ａ）に示すように、保持部材係合突部３３の両側面には、凹部が形成されており、保持部材係合突部３３の内部中央には、保持孔３３ａが形成されている。この保持孔３３ａの底面の中央部には、図６（ａ）に示す突部３３ｂが流路嵌合部３４側に突出して形成されている。
【００４０】
図７（ａ）に示すように、この保持部材係合突部３３の保持孔３３ａには、位置止め部材３５が配置されている。この位置止め部材３５は、先端がドーム形状をした筒体３５ａと、この筒体３５ａの両側に延設された帯状の一対の係合部材３５ｂとから構成されている。位置止め部材３５の係合部材３５ｂの端縁は、保持部材係合突部３３の両側面の凹部に係合し、筒体３５ａと一体となって流路形成部材３０の軸線方向に摺動可能に掛合している。また、位置止め部材３５の筒体３５ａは、保持孔３３ａに挿入されている。
【００４１】
図６（ａ）に示すように、この流路形成部材３０は、ヘッド本体１５の内孔１５ｃに嵌合されている。この流路形成部材３０は、流路形成部材３０の中心軸と、内孔１５ｃの中心軸とが一致するように配置される。そして、この流路形成部材３０の貫通孔３２ａが、ヘッド本体１５の貫通孔１５ｄ，１５ｅに整合される。流路形成部材３０の収容部３１ａには、カートリッジ５０の出口部材５５の先端部が内嵌される。そして、流路形成部材３０とこの出口部材５５との間には、シールリング５８が設けられている。従って、切替部２０は、カートリッジ５０の出口部材５５の段付き孔が、切替部２０の流路形成部材３０の貫通孔３２ａと、密封状態で連通する構成となっている。そして、流路形成部材３０のリング溝３２ｃには、シールリング３７が収容される。
【００４２】
更に、位置止め部材３５の筒体３５ａの内部には、圧縮されたバネ３６が配置されている。このバネ３６の下端部は、突部３３ｂに嵌合されて固着されている。従って、位置止め部材３５は、バネ３６によって、後述する第１シャフト４０側に押圧されている。
【００４３】
そして、流路形成部材３０の貫通孔３２ａ及びヘッド本体１５の貫通孔１５ｄ，１５ｅに延在するように、切替移動体としての第１シャフト４０が配置されている。この第１シャフト４０は、段付き円柱部材であって、外周の一部に溝部４０ａ，４０ｂが形成されている。これら溝部４０ａ，４０ｂは、位置止め部材３５の筒体３５ａの先端が挿入可能な大きさで形成されている。
【００４４】
溝部４０ａ，４０ｂの間の第１シャフト４０の外径は、流路形成部材３０の貫通孔３２ａの内径より小さくなっている。このため、貫通孔３２ａと第１シャフト４０との間の空間に、液体が流入可能になっている。更に、第１シャフト４０の中央部には、シールリング４１が外嵌されている。このシールリング４１が、混合流路形成部３２の貫通孔３２ａに接する場合には、貫通孔３２ａと第１シャフト４０との間の空間が閉塞され、流路形成部材３０の収容部３１ａと、位置止め部材３５の先端が位置する空間（流路形成部材３０とヘッド本体１５の内孔１５ｃとの間の空間）７２とを遮断する。
【００４５】
また、第１シャフト４０の小径側（図６の左側）先端部の中央には、ネジ孔が形成されている。更に、第１シャフト４０の小径側先端部は、第２シャフト４２の段付孔に収容されている。この第２シャフト４２は、ヘッド本体１５の貫通孔１５ｄ内に保持されている。この第２シャフト４２の外周には、シールリング４３が嵌合されている。
【００４６】
第２シャフト４２のうち、第１シャフト４０とは反対側には、第１操作部材４５が配置されている。この第１操作部材４５の中央には、段付き孔が形成されている。この第１操作部材４５の段付き孔及び第２シャフト４２の段付き孔は、第１シャフト４０のネジ孔に整合して配置されている。ボルト４４は、第１操作部材４５の段付き孔及び第２シャフト４２の段付き孔に貫通し、第１シャフト４０のネジ孔に螺合している。これによって、第１操作部材４５、第２シャフト４２及び第１シャフト４０が一体化されている。第１操作部材４５には、ボルト４４の頭部を覆うように、ドーム形状の押圧部４５ａが固着されている。
【００４７】
一方、第１シャフト４０の大径側（図６の右側）先端部は、ヘッド本体１５の貫通孔１５ｅに密着した状態で保持されている。この第１シャフト４０と貫通孔１５ｅとの間には、シールリング４６が配置されている。この第１シャフト４０の大径側先端部は、圧入ボス４７を介して、第２操作部材４８と一体化されている。
【００４８】
次に、以上のように構成されたシャワーヘッドの動作について、図２、図６及び図８を用いて説明する。
本実施形態のシャワーヘッド１０は、シャワーホースを介して、水道に接続される。なお、水の代わりにお湯を用いることも可能である。また、本実施形態のシャワーヘッド１０は、水のみを散布する場合には、図２及び図６に示すように、第１シャフト４０を貫通孔１５ｄ側に位置させた状態（溶液流入経路を供給路から遮断させた第１状態）で用いる。また、このシャワーヘッド１０は、カートリッジ５０の薬剤を溶解させた保湿剤を散布する場合には、図８に示すように、第１シャフト４０を貫通孔１５ｅ側（シャワーヘッド１０の中心軸に対して貫通孔１５ｄの反対側）に位置させた状態（溶液流入経路を供給路と連通させた第２状態）で用いる。
【００４９】
まず、本実施形態のシャワーヘッド１０を使用して、水のみを散布する場合を想定する。この場合、図２に示すように、第２操作部材４８をシャワーヘッド１０の中心側に押し込み、第１操作部材４５をヘッド本体１５から突出させた状態で使用する。このとき、図６に示すように、第１シャフト４０の溝部４０ａに、位置止め部材３５の筒体３５ａが係合して、第１シャフト４０は、貫通孔３２ａとの間の空間を閉塞し、カートリッジ５０からヘッド本体１５の内孔１５ｃ側（空間７２側）への水の流出を阻止している。
【００５０】
この状態で、水が、シャワーホースを介して、図２のグリップ部１２の供給孔１２ｂに供給される。水は、供給孔１２ｂから、嵩上げ部１２ｅの周囲、位置決めリブ部１２ｆの周囲を介して、グリップ部１２とカートリッジ５０との間の流路７０に流れ込む。
【００５１】
流路７０を流れた水は、カートリッジ５０の出口部材５５とヘッド本体１５との間の空間７１、位置止め部材３５の先端が位置する空間７２を通過して、ヘッド本体１５の内孔１５ｃを流れる。そして、この水は、ヘッド本体１５のマイクロバブル発生部材を通過し、マイクロバブルが混在した水となって、散水部材１６の散水孔１６ａから散布される。
【００５２】
この場合、第１シャフト４０と貫通孔３２ａとの間の空間が閉塞しているため、ダックビル弁５２は開放されず、カートリッジ５０のカートリッジ内管５３の内部には、水が流入しない。
【００５３】
次に、薬剤を溶解させた保湿液を散布させる場合を説明する。この場合、第２操作部材４８がヘッド本体１５から突出するように、切替部２０を第２状態に切り替える。具体的には、第１操作部材４５の押圧部４５ａを、シャワーヘッド１０の中心方向に押圧する。これにより、第１シャフト４０に押圧されて位置止め部材３５の筒体３５ａの先端は溝部４０ａから外れる。
【００５４】
更に第１シャフト４０がシャワーヘッド１０の中心方向に移動すると、シールリング４１が、流路形成部材３０の貫通孔３２ａから外れて、第１シャフト４０と貫通孔３２ａとの間に空間が区画される。更に、位置止め部材３５は、溝部４０ｂに対向した場合、バネ３６によって第１シャフト４０側（図の上方向）に押圧されて溝部４０ｂに嵌合する。結果として、図８に示すように、第２操作部材４８がヘッド本体１５から突出し、第１操作部材４５がヘッド本体１５に押し込まれた状態になる。
【００５５】
この場合、水は、図２に示したグリップ部１２の供給孔１２ｂから、嵩上げ部１２ｅの周囲、位置決めリブ部１２ｆの周囲を順番に通過して、グリップ部１２とカートリッジ５０との間の流路７０に流れる。流路７０に流れ込んだ水は、カートリッジ５０の出口部材５５とヘッド本体１５との間の空間７１、位置止め部材３５の先端が位置する空間７２を流れる。
【００５６】
更に、図８に示すように、第１シャフト４０と貫通孔３２ａとの間の空間が区画されて、流通可能となっているため、図２のダックビル弁５２が開放して、カートリッジ５０のカートリッジ内管５３の内部に水が流入する。流入した水は、カートリッジ内管５３の連通孔５３ｃを介して、薬剤収容部５４に供給される。ここで、水は、薬剤収容部５４の薬剤を溶解し、保湿液となる。この保湿液は、フィルタ部材５７を介して、出口部材５５の段付き孔に流入する。そして、この保湿液は、出口部材５５の段付き孔、流路形成部材３０の収容部３１ａ、連通孔３２ｂ、第１シャフト４０と貫通孔３２ａとの空間を順次、通過して、空間７２を流れる。この空間７２において、保湿液に水が混合されて、希薄された保湿液となる。そして、この希薄された保湿液は、ヘッド本体１５の内孔１５ｃを介して、図１（ｂ）で示した椀状側部１５ａの空間に流入し、マイクロバブル発生部材を通過することにより、マイクロバブルを含有する希薄された保湿液になって、散水部材１６の散水孔１６ａから散布される。
【００５７】
そして、保湿液の散布を停止させる場合には、第２操作部材４８をシャワーヘッド１０の中心方向に押圧して、切替部２０を第１状態に切り替える。この場合、第１シャフト４０の溝部４０ｂから、位置止め部材３５の筒体３５ａの先端が外れて、第１シャフト４０が第１操作部材４５の方向に移動し、第１シャフト４０と貫通孔３２ａとの間の空間が閉塞される。そして、位置止め部材３５は、バネ３６によって溝部４０ａに係合して、再び図６に示す状態になる。
【００５８】
このため、上記実施形態では、以下の効果を得ることができる。
（１）本実施形態のシャワーヘッド１０は、ヘッド部１１及びグリップ部１２を備えている。シャワーヘッド１０のグリップ部１２の中空部１２ｃには、収容されたカートリッジ５０との間で流路７０が区画されている。カートリッジ５０には、中空部１２ｃに流れた水が内部に流入するスリット部５１ａ及び凹部５１ｂが設けられている。シャワーヘッド１０のヘッド部１１の内孔１５ｃには、これとの間で流路７０に連通する空間７１を形成する流路形成部材３０が配置されている。流路形成部材３０の貫通孔３２ａには、この貫通孔３２ａの軸方向に沿って移動する第１シャフト４０が配置されている。この第１シャフト４０を貫通孔１５ｄ側に位置させた場合には、第１シャフト４０と貫通孔３２ａとの間の空間が閉塞され、流路７０及び空間７１，７２を介して、水がヘッド部１１に流入する。第１シャフト４０を貫通孔１５ｅ側に位置させた場合には、第１シャフト４０と貫通孔３２ａとの間の空間が開放され、カートリッジ５０から薬剤が溶解した保湿液がヘッド部１１に供給される。これにより、カートリッジ５０の内部を、薬剤を溶解した溶液を収容するための大きいスペースとして使用することができる。また、カートリッジ５０を内蔵して、その上方に位置するヘッド部１１に切替部２０を設け、この切替部２０にカートリッジ５０の先端部を嵌合したので、漏れ難い構造で、この切替部２０を利用しながら、水のみの散布と、薬剤が溶解した保湿液の散布とを切り替えることができる。
【００５９】
（２）本実施形態のシャワーヘッド１０は、位置止め部材３５を掛合した保持部材係合突部３３を有した流路形成部材３０を備える。位置止め部材３５は、第１シャフト４０の溝部４０ａ又は溝部４０ｂに挿入され、バネ３６によって第１シャフト４０側に付勢されている。これにより、第１シャフト４０が貫通孔３２ａとの間で空間を開放する第１の状態と、閉塞する第２の状態とをより確実に保持することができる。
【００６０】
（３）本実施形態のシャワーヘッド１０に内蔵される交換可能なカートリッジ５０には、薬剤として保湿剤が収容されている。このため、水のみによる散布に代えて、保湿液を容易に散布することができる。
【００６１】
（４）本実施形態のカートリッジ５０には、薬剤収容部５４の上流側に、ダックビル弁５２が配置されている。シャワーヘッド１０の切替部２０が第２状態に切り替えられて、第１シャフト４０と貫通孔３２ａとの間の空間が区画されて流通可能となった場合には、ダックビル弁５２が開放して、カートリッジ５０のカートリッジ内管５３の内部に水が流入する。従って、カートリッジ５０の流出側が閉塞されている場合には、ダックビル弁５２が閉塞されて、薬剤収容部５４にそれ以上の水が流入しないので、薬剤が溶解した保湿液がシャワーホース側に逆流することを回避することができる。
【００６２】
（５）本実施形態の蓋付きカートリッジ６０は、カートリッジ５０の出口部材５５を覆う蓋部材６１が設けられている。蓋部材６１は、円筒形状の挿入支持部６１ａを備えている。この挿入支持部６１ａには、出口部材５５の段付き孔の先端が外嵌されているので、交換するカートリッジ５０を保持する場合には、出口部材５５の段付き孔が変形することを回避することができる。従って、シャワーヘッド１０にカートリッジ５０を取り付けた場合に、上記変形等によって出口部材５５と、これを収容する流路形成部材３０の収容部３１ａとの間に隙間等が生じ難く、保湿液を漏洩し難くすることができる。
【００６３】
（変更例）
上記実施形態は、次のように変更して具体化することも可能である。
・  上記実施形態においては、流路形成部材３０の貫通孔３２ａは、グリップ部１２の中心軸に対して直交する方向に形成されている。更に、この貫通孔３２ａに延在するように第１シャフト４０が配置されている。第１シャフト４０を貫通孔３２ａ内で移動させてこれらの間に空間を区画又は閉塞することにより、カートリッジ５０から薬剤が溶解した溶液又は水のみをヘッド部１１に供給する。このように水のみを供給する第１状態と、水と混合した溶液を供給する第２状態の切替を行なう切替部２０の構成は、これに限定されない。例えば、貫通孔３２ａと整合する孔を設けたシャフトを用いてもよい。このシャフトを、貫通孔３２ａに対して所定角度（例えば、直角）方向（グリップ部１２の中心軸方向）に延在するように設け、この方向に移動させることにより、貫通孔３２ａとこれに整合する孔が一致する場合に、溶液をヘッド部１１に供給し、貫通孔３２ａと、これに整合する孔とが一致しない場合には、水のみを供給するようにしてもよい。
【００６４】
・  上記実施形態においては、シャワーヘッド１０の切替部２０は、シャフトの両端部にそれぞれ設けた第１操作部材４５及び第２操作部材４８を備えた。切替部２０の操作部は、第１シャフト４０の両端部に設けた構成に限定されず、第１シャフト４０を所定方向に移動させるための操作部であれば、どのような構成であってもよい。
【００６５】
・  上記実施形態においては、カートリッジ５０に収容される薬剤として保湿剤を用いた。カートリッジ５０に収容される薬剤は、これに限らず、香水、スリミング剤、美白水、制汗剤などの他の化粧用添加剤、シャンプー、石鹸水などの洗浄液、ニキビ、アトピー、皮膚病対策用の薬剤、水の残留塩素を除去する浄化剤であってもよい。また、上記実施形態においては、固形の薬剤を用いたが、薬剤の形状はこれに限定されず、例えば、ジェル状や粒子状の薬剤等を用いてもよい。
【００６６】
・  上記実施形態においては、シャワーヘッド１０から水のみを散布する場合には、カートリッジ５０に水が流入しないように、カートリッジ５０にダックビル弁５２を設けた。水のみを散布する際にカートリッジに水が流入しないようにする逆止弁は、このダックビル弁５２以外の構成であってもよい。また、水のみを散布する場合に、カートリッジ５０において薬剤が溶解した溶液が流出しない構成であれば、カートリッジ５０に水が流入する構成にしてもよい。
【００６７】
・  上記実施形態においては、マイクロバブルを散布するシャワーヘッド１０として説明した。本発明は、マイクロバブルを発生する機構を備えたシャワーヘッドに限らず、マイクロバブルを発生しないシャワーヘッドに適用してもよい。
【符号の説明】
【００６８】
１０…シャワーヘッド、１１…ヘッド部、１２…グリップ部、１２ｂ…供給孔、１２ｃ…中空部、１２ｅ…嵩上げ部、１２ｆ…位置決めリブ部、１３，３７，４１，４３，４６，５６，５８…シールリング、１５…ヘッド本体、１５ｃ…内孔、１５ｄ，１５ｅ…貫通孔、１６…散水部材、２０…切替部、３０…流路形成部材、３１ａ…収容部、３２ａ…貫通孔、３２ｂ…連通孔、３３ａ…保持孔、３５…位置止め部材、３６…バネ、４０…第１シャフト、４０ａ，４０ｂ…溝部、４５…第１操作部材、４８…第２操作部材、５０…カートリッジ、５１ａ…スリット部、５１ｂ…凹部、５２…ダックビル弁、５３…カートリッジ内管、５４…薬剤収容部、５５…出口部材、６０…蓋付きカートリッジ、６１…蓋部材、６１ａ…挿入支持部、７０…流路、７１，７２…空間。
【図１】
0005406340.tif 000002
【図２】
0005406340.tif 000003
【図３】
0005406340.tif 000004
【図４】
0005406340.tif 000005
【図５】
0005406340.tif 000006
【図６】
0005406340.tif 000007
【図７】
0005406340.tif 000008
【図８】
0005406340.tif 000009